(57)【要約】【課題】固定スクロール（40）の固定側鏡板部（41）の貫通孔（70）を、開口面積が大きくてガスの通過抵抗が小さくなるように形成するとともに、簡単な加工で形成できるようにする。【解決手段】固定側鏡板（41）に形成する貫通孔（70）を、圧縮機構（30）の固定側ラップの内周面と可動側ラップの外周面の間の第１圧縮室と固定側ラップ（42）の外周面と可動側ラップ（37）の内周面との間の第２圧縮室（31b）に同時に連通せずに、大きな開口面積が得られるように、ラップの渦巻きの方向に沿って傾斜させた貫通孔（70）にする。【選択図】図２Ｂ
2017015058.tif 000002
【特許請求の範囲】
【請求項１】
固定側鏡板部（41）及び該固定側鏡板部（41）に形成された固定側ラップ（42）を有する固定スクロール（40）と、
可動側鏡板部（36）及び該可動側鏡板部（36）に形成された可動側ラップ（37）を有する可動スクロール（35）を有する圧縮機構（30）を備え、
上記圧縮機構（30）には、固定スクロール（40）と可動スクロール（35）とが噛み合って上記両ラップ（37,42）の間に圧縮室（31）が形成され、上記固定側鏡板部（41）に該圧縮室（31）の内外を連通して流体が通過する貫通孔（70）が形成されたスクロール圧縮機であって、
上記貫通孔（70）は、その中心線が上記固定側鏡板部（41）に垂直な線分に対して傾斜角度（θ）で傾斜していて開口形状が長円形状であり、その長円の長径が上記可動側ラップ（37）の歯厚よりも大きい寸法であってかつ上記可動側ラップ（37）の渦巻きに沿った方向に配置され、上記長円の短径が上記可動側ラップ（37）の歯厚未満の寸法であってかつ固定側ラップ（42）の内周面と可動側ラップ（37）の外周面側との間の第１圧縮室（31a）と固定側ラップ（42）の外周面と可動側ラップ（37）の内周面との間の第２圧縮室（31b）に上記貫通孔（70）が同時に連通しないように形成されていることを特徴とするスクロール圧縮機。
【請求項２】
請求項１において、
上記貫通孔（70）は、流体が通過する際の最小面積である流体透過面積（P）が、上記該貫通孔（70）の軸直角断面の面積（A）よりも大きくなるように上記傾斜角度（θ）が定められていることを特徴とするスクロール圧縮機。
【請求項３】
請求項２において、
上記固定側鏡板部（41）には、座ぐり加工部（72）が形成され、該座ぐり加工部（72）に連通する位置に上記貫通孔（70）が形成されていることを特徴とするスクロール圧縮機。
【請求項４】
請求項１から３の何れか１つにおいて、
上記貫通孔（70）は、上記固定側ラップ（42）の内周面と外周面との中間の位置に形成され、上記第１圧縮室（31a）に連通する第１連通状態と第２圧縮室（31b）に連通する第２連通状態とに、上記可動側ラップ（37）で閉塞される閉塞状態を挟んで交互に切り換わることを特徴とするスクロール圧縮機。
【請求項５】
請求項１から３の何れか１つにおいて、
上記貫通孔（70）は、上記固定側ラップ（42）の内周面に沿った位置に形成されて上記第１圧縮室（31a）に連通する連通状態と上記可動側ラップ（37）に閉塞される閉塞状態とに交互に切り換わる第１貫通孔（70a）と、上記固定側ラップ（42）の外周面に沿った位置に形成されて上記第２圧縮室（31b）に連通する連通状態と上記可動側ラップ（37）に閉塞される閉塞状態とに交互に切り換わる第２貫通孔（70b）とを含んでいることを特徴とするスクロール圧縮機。
【発明の詳細な説明】
【技術分野】
【０００１】
本発明は、スクロール圧縮機に関し、特に、固定スクロールの固定側鏡板部を貫通して形成される貫通孔の構造に関するものである。
【背景技術】
【０００２】
従来、スクロール圧縮機では、固定スクロールが有している固定側鏡板部に、圧縮室の内外を連通する貫通孔を形成したものがある（例えば、特許文献１，２参照）。上記貫通孔は、特許文献１では、圧縮途中の冷媒の一部を吸入側に戻すアンロード運転を行うためのバイパスポートとして用いられており、特許文献２では、過圧縮を防止するために圧縮室から低圧側へ冷媒を逃がすリリーフポートとして用いられている。また、上記貫通孔は、圧縮途中の圧縮室に中間圧冷媒を注入するインジェクションポートとして用いられることもある。
【０００３】
特許文献１，２では、上記貫通孔は、固定スクロールのラップ（固定側鏡板部と一体に形成されている渦巻き状の壁）の方向に複数の小さな孔を並べたり、該ラップの方向に延びる長孔にしたりすることで形成している。貫通孔を複数の小さな孔で構成したり長孔にしたりしている理由は、ラップよりも貫通孔の直径寸法が大きくなると、固定スクロールのラップの外側に形成される第１圧縮室と該ラップの内側に形成される第２圧縮室とが運転中に連通してしまうため、これを避けるためにラップの壁の厚さよりも直径寸法を小さくする必要があるのに対して、孔径を小さくするとガスの通過抵抗が大きくなるが、ラップの渦巻きの方向に長くすれば開口面積を大きくすることができ、ガスの通過抵抗を小さくできるためである。
【先行技術文献】
【特許文献】
【０００４】
【特許文献１】特許第２５５１１６４号公報
【特許文献２】特許第５１９５７７４号公報
【発明の概要】
【発明が解決しようとする課題】
【０００５】
しかしながら、ラップの渦巻きの方向に直径の小さな複数の孔を並べて形成するためにはドリル加工を複数回行う必要があり、ラップの渦巻きの方向に延びる長孔を形成するにはエンドミル加工が必要になる。そして、いずれの場合も加工が複雑になる。そのため、特許文献１，２の構造では、加工コストが比較的高くなるという問題があった。
【０００６】
本発明は、このような問題点に鑑みてなされたものであり、その目的は、固定スクロールの固定側鏡板部の貫通孔を、開口面積が大きくてガスの通過抵抗が小さくなるように形成するとともに、簡単な加工で形成できるようにすることである。
【課題を解決するための手段】
【０００７】
第１の発明は、固定側鏡板部（41）及び該固定側鏡板部（41）に形成された固定側ラップ（42）を有する固定スクロール（40）と、可動側鏡板部（36）及び該可動側鏡板部（36）に形成された可動側ラップ（37）を有する可動スクロール（35）を有する圧縮機構（30）を備え、上記圧縮機構（30）には、固定スクロール（40）と可動スクロール（35）とが噛み合って上記両ラップ（37,42）の間に圧縮室（31）が形成され、上記固定側鏡板部（41）に該圧縮室（31）の内外を連通して流体が通過する貫通孔（70）が形成されたスクロール圧縮機を前提としている。
【０００８】
そして、このスクロール圧縮機は、上記貫通孔（70）が、その中心線が上記固定側鏡板部（41）に垂直な線分に対して所定角傾斜していて開口形状が長円形状であり、その長円の長径が上記可動側ラップ（37）の歯厚よりも大きい寸法であってかつ上記可動側ラップ（37）の渦巻きに沿った方向に配置され、上記長円の短径が上記可動側ラップ（37）の歯厚未満の寸法であってかつ固定側ラップ（42）の内周面と可動側ラップ（37）の外周面側との間の第１圧縮室（31a）と固定側ラップ（42）の外周面と可動側ラップ（37）の内周面との間の第２圧縮室（31b）に上記貫通孔（70）が同時に連通しないように形成されていることを特徴としている。
【０００９】
この第１の発明では、上記貫通孔（70）を固定側鏡板部（41）に垂直な線分に対して傾斜させることにより、長円形状になった開口の長径が可動側ラップ（37）の歯厚よりも大きい寸法でラップの渦巻きの方向に沿い、かつ開口の短径が上記可動側ラップ（37）の歯厚未満の寸法となるようにしている。このことにより、面積が大きな貫通孔（70）の開口を通って流体が流れるので、流体の通過抵抗を小さく抑えられる。
【００１０】
第２の発明は、第１の発明において、上記貫通孔（70）が、流体が通過する際の最小面積である流体透過面積（P）が、該貫通孔（70）の軸直角断面の面積（A）よりも大きくなるように上記傾斜角度が定められていることを特徴としている。
【００１１】
この第２の発明では、流体が通過する際の最小面積である流体透過面積（P）が貫通孔（70）の軸直角断面の面積（A）よりも大きくなるように上記傾斜角度を定めて上記貫通孔（70）を形成しているので、流体の通過抵抗を確実に抑えられる。
【００１２】
第３の発明は、第２の発明において、上記固定側鏡板部（41）には、座ぐり加工部（72）が形成され、該座ぐり加工部（72）に連通する位置に上記貫通孔（70）が形成されていることを特徴としている。
【００１３】
この第３の発明では、固定側鏡板部（41）の座ぐり加工部（72）に連通する位置に上記管津孔を形成しているので、貫通孔（70）を形成する部分の鏡板の厚さが座ぐり加工部（72）の座ぐりの深さの分だけ薄くなる。そのため、板厚の薄い部分に貫通孔（70）を形成することになるので、傾斜させて形成した貫通孔（70）の流体が通過する最小面積がより小さくなり、通過抵抗をより確実に抑えられる。
【００１４】
第４の発明は、第１から第３の発明の何れか１つにおいて、上記貫通孔（70）が、上記固定側ラップ（42）の内周面と外周面との中間位置に形成され、上記第１圧縮室（31a）に連通する第１連通状態と第２圧縮室（31b）に連通する第２連通状態とに、上記可動側ラップ（37）で閉塞される閉塞状態を挟んで交互に切り換わることを特徴としている。
【００１５】
この第４の発明では、１つの貫通孔（70）が第１圧縮室（31a）と第２圧縮室（31b）を交互に開閉し、リリーフポートやインジェクションポートとして機能する。
【００１６】
第５の発明は、第１から第３の発明の何れか１つにおいて、上記貫通孔（70）が、上記固定側ラップ（42）の内周面に沿った位置に形成されて上記第１圧縮室（31a）に連通する連通状態と上記可動側ラップ（37）に閉塞される閉塞状態とに交互に切り換わる第１貫通孔（70）と、上記固定側ラップ（42）の外周面に沿った位置に形成されて上記第２圧縮室（31b）に連通する連通状態と上記可動側ラップ（37）に閉塞される閉塞状態とに交互に切り換わる第２貫通孔（70）とを含んでいることを特徴としている。
【００１７】
この第５の発明では、第１貫通孔（70）が第１圧縮室（31a）を開閉し、第２貫通孔（70）が第２圧縮室（31b）を開閉し、それぞれがリリーフポートやインジェクションポートとして機能する。
【発明の効果】
【００１８】
本発明によれば、上記貫通孔（70）を固定側鏡板部（41）に垂直な線分に対して傾斜させて、長円形状になった開口の長径が可動側ラップ（37）の歯厚よりも大きい寸法でラップの渦巻きの方向に沿い、かつ開口の短径が上記可動側ラップ（37）の歯厚未満の寸法となるようにしたことにより、面積が大きな貫通孔（70）の開口を通って流体が流れることで流体の通過抵抗を小さく抑えられるのに加えて、貫通孔（70）を簡単な加工で形成することができる。したがって、スクロール圧縮機の加工コストを抑えることが可能になる。
【００１９】
上記第２の発明によれば、流体が通過する際の最小面積である流体透過面積（P）が貫通孔（70）の軸直角断面の面積（A）よりも大きくなるように上記傾斜角度を定めて上記貫通孔（70）を形成しているので、流体の通過抵抗を確実に抑えられるとともに、貫通孔（70）の加工が複雑になることも防止できる。
【００２０】
上記第３の発明によれば、貫通孔（70）を形成する部分の固定側鏡板部（41）の厚さが座ぐり加工部（72）の座ぐりの深さの分だけ薄くなり、板厚の薄い部分に貫通孔（70）を形成することにより、傾斜させて形成した貫通孔（70）の流体が通過する最小面積がより小さくなり、通過抵抗をより確実に抑えられるうえ、貫通孔（70）を形成するのが固定側鏡板部（41）の板厚の薄い部分であるので加工を簡単にすることができる。
【００２１】
上記第４の発明によれば、１つの貫通孔（70）が第１圧縮室（31a）と第２圧縮室（31b）を交互に開閉するので、１つの貫通孔（70）が各圧縮室（31）に共通のリリーフポートやインジェクションポートとして機能する構造を実現できる。
【００２２】
上記第５の発明によれば、第１貫通孔（70）が第１圧縮室（31a）を開閉し、第２貫通孔（70）が第２圧縮室（31b）を開閉するので、それぞれが各圧縮室（31）に個別のリリーフポートやインジェクションポートとして機能する構造を実現できる。
【図面の簡単な説明】
【００２３】
【図１】図１は、本発明の実施形態に係るスクロール圧縮機の縦断面図である。
【図２Ａ】図２Ａは、固定スクロールの平面図である。
【図２Ｂ】図２Ｂは、図２ＡのIIＢ−IIＢ線断面図である。
【図２Ｃ】図２Ｃは、固定スクロールの底面図である。
【図３Ａ】図３Ａは、固定スクロールの底面図であり、固定側ラップと可動側ラップのかみ合い状態を示す。
【図３Ｂ】図３Ｂは、図３Ａの部分拡大図である。
【図３Ｃ】図３Ｃは、固定スクロールと可動スクロールのかみ合い状態を示す断面図である。
【図４Ａ】図４Ａは、固定スクロールの部分拡大断面図であり、貫通孔の形状を示す。
【図４Ｂ】図４Ｂは、図４Ａの底面図である。
【図５Ａ】図５Ａは、比較例の固定スクロールの部分拡大断面図であり、貫通孔の形状を示す。
【図５Ｂ】図５Ｂは、図５Ａの底面図である。
【図６Ａ】図６Ａは、他の比較例の固定スクロールの部分拡大断面図であり、貫通孔の形状を示す。
【図６Ｂ】図６Ｂは、図６Ａの底面図である。
【図７】図７は、実施形態の圧縮機構の動作状態を示す図である。
【図８】図８は、比較例の圧縮機構の動作状態を示す図である。
【図９Ａ】図９Ａは、変形例１の可動側鏡板部の拡大断面図である。
【図９Ｂ】図９Ｂは、図９Ａの平面図である。
【図９Ｃ】図９Ｃは、図９ＡのIXＣ線矢視図である。
【図１０Ａ】図１０Ａは、変形例２の可動側鏡板部の拡大断面図である。
【図１０Ｂ】図１０Ｂは、図１０Ａの平面図である。
【図１１Ａ】図１１Ａは、変形例３の可動側鏡板部の拡大断面図である。
【図１１Ｂ】図１１Ｂは、図１１Ａの平面図である。
【図１２Ａ】図１２Ａは、変形例４の可動側鏡板部の拡大断面図である。
【図１２Ｂ】図１２Ｂは、図１２Ａの平面図である。
【図１３】図１３は、実施形態２の圧縮機構の動作状態図である。
【図１４】図１４は、実施形態２の比較例の圧縮機構の動作状態図である。
【図１５】図１５は、実施形態３の圧縮機構の動作状態図である。
【図１６】図１６は、実施形態３の比較例の圧縮機構の動作状態図である。
【発明を実施するための形態】
【００２４】
以下、本発明の実施形態を図面に基づいて詳細に説明する。
【００２５】
《発明の実施形態１》
本発明の実施形態１について説明する。
【００２６】
図１は、本発明の実施形態に係るスクロール圧縮機の構成を示す縦断面図である。スクロール圧縮機（10）は、例えば、空気調和装置に設けられた、蒸気圧縮式冷凍サイクルを行う冷媒回路に接続されるものである。スクロール圧縮機（10）は、ケーシング（11）と、回転式の圧縮機構（30）と、圧縮機構（30）を回転駆動する駆動機構（20）とを備えている。
【００２７】
ケーシング（11）は、両端が閉塞された縦長円筒状の密閉容器で構成されており、円筒状の胴部（12）と、胴部（12）の上端側に固定された上部鏡板（13）と、胴部（12）の下端側に固定された下部鏡板（14）とを備えている。
【００２８】
ケーシング（11）の内部は、ケーシング（11）の内周面に接合されたハウジング（50）によって上下に区画されている。ハウジング（50）よりも上側の空間が上部空間部（15）を構成し、ハウジング（50）よりも下側の空間が下部空間部（16）を構成している。このハウジング（50）の構成については後述する。
【００２９】
ケーシング（11）における下部空間部（16）の底部には、スクロール圧縮機（10）の摺動部分を潤滑する油が貯留される油溜まり部（17）が設けられている。
【００３０】
ケーシング（11）には、吸入管（18）及び吐出管（19）が取り付けられている。この吸入管（18）の一端部は、吸入管継手（47）に接続されている。吐出管（19）は、胴部（12）を貫通している。この吐出管（19）の端部は、ケーシング（11）の下部空間部（16）に開口している。
【００３１】
駆動機構（20）は、圧縮機構（30）の下方に位置する電動機（21）と、駆動軸（23）とを備えている。電動機（21）は、ケーシング（11）の下部空間部（16）に収容されている。電動機（21）は、円筒状に形成されたステータ（21a）およびロータ（21b）を備えている。ステータ（21a）は、ケーシング（11）の胴部（12）に固定されている。ステータ（21a）の外周面には、ステータ（21a）の上端面から下端面に亘りかつ周方向に所定間隔をおいて複数個所に切り欠き部としてのコアカット（21c）が切り欠き形成されている。
【００３２】
ステータ（21a）の中空部には、ロータ（21b）が配置されている。ロータ（21b）の中空部には、ロータ（21b）を貫通するように駆動軸（23）が固定されており、ロータ（21b）と駆動軸（23）とが一体で回転するようになっている。
【００３３】
駆動軸（23）は、上下方向に延びる主軸部（24）と、主軸部（24）の上側に設けられた偏心部（25）とを有し、それらが一体的に形成されている。偏心部（25）は、主軸部（24）の最大径よりも小径に形成されており、偏心部（25）の軸心は、主軸部（24）の軸心に対して所定距離だけ偏心している。駆動軸（23）における主軸部（24）の下端部分（下部主軸部（26））は、ケーシング（11）における胴部（12）の下端付近に固定された下部軸受部（28）に回転可能に支持されている。また、主軸部（24）の上端部分は、ハウジング（50）が有する軸受部（53）に回転可能に支持されている。駆動軸（23）の内部には、軸心方向に沿って延びる給油路（27）が形成されている。
【００３４】
また、駆動軸（23）の下端部には、油を吸い上げるための吸入部材としての吸入ノズル（75）が設けられている。吸入ノズル（75）により容積式のポンプが構成されている。吸入ノズル（75）の吸入口（75a）は、ケーシング（11）の油溜まり部（17）に開口している。吸入ノズル（75）の吐出口は、駆動軸（23）の給油路（27）に連通するように接続されている。吸入ノズル（75）によって油溜まり部（17）から吸い上げられた油は、給油路（27）を流通してスクロール圧縮機（10）の摺動部分へ供給される。
【００３５】
圧縮機構（30）は、可動スクロール（35）と、固定スクロール（40）と、ハウジング（50）とを備えた、いわゆるスクロール型の圧縮機構である。ハウジング（50）及び固定スクロール（40）は、互いにボルトで締結されており、その間に可動スクロール（35）が収容されている。
【００３６】
可動スクロール（35）は、ほぼ円板状の可動側鏡板部（36）を有している。この可動側鏡板部（36）の上面に可動側ラップ（37）が立設している。この可動側ラップ（37）は、可動側鏡板部（36）の中心付近から径方向外方へ渦巻き状に延びる壁体である。また、可動側鏡板部（36）の下面にボス部（軸受部）（38）が突設されている。
【００３７】
固定スクロール（40）は、ほぼ円板状の固定側鏡板部（41）を有している。この固定側鏡板部（41）の下面に固定側ラップ（42）が立設している。この固定側ラップ（42）は、固定側鏡板部（41）の中心付近から径方向外方へ渦巻き状に延び、且つ可動スクロール（35）の可動側ラップ（37）と噛み合うように形成された壁体である。この固定側ラップ（42）と可動側ラップ（37）との間に圧縮室（31）が形成されている。
【００３８】
上記圧縮室（31）は、図３Ａに示すように、固定側ラップ（42）の内周面と可動側ラップ（37）の外周面側との間の第１圧縮室（31a）と、固定側ラップ（42）の外周面と可動側ラップ（37）の内周面との間の第２圧縮室（31b）とを含んでいる。
【００３９】
固定スクロール（40）は、固定側ラップ（42）の最外周壁から径方向外方へ連続する外縁部（43）を有している。この外縁部（43）の下端面がハウジング（50）の上端面に固定される。また、この外縁部（43）には、上方へ開口する開口部（44）が形成されている。そして、この開口部（44）の内部と圧縮室（31）の最外周端とを連通する吸入ポート（34）が外縁部（43）に形成されている。この吸入ポート（34）は、圧縮室（31）の吸入位置に開口している。なお、この外縁部（43）の開口部（44）には、上述した吸入管継手（47）が接続されている。
【００４０】
また、固定スクロール（40）の固定側鏡板部（41）には、固定側ラップ（42）の中心付近に位置して上下方向へ貫通する吐出ポート（32）が形成されている。この吐出ポート（32）の下端は、圧縮室（31）の吐出位置に開口している。吐出ポート（32）の上端は、固定スクロール（40）の上部に区画された吐出室（46）に開口している。また、図示しないが、この吐出室（46）は、ケーシング（11）の下部空間部（16）に連通している。
【００４１】
ハウジング（50）は、ほぼ円筒状に形成されている。ハウジング（50）の外周面は、その下側部分に対して上側部分が大径になるように形成されている。そして、この外周面の上側部分がケーシング（11）の内周面に固定されている。
【００４２】
ハウジング（50）の中空部には、駆動軸（23）が挿入されている。また、この中空部は、中空部の下側部分に対して上側部分が大径になるように形成されている。中空部の下側部分に軸受部（53）が形成されている。この軸受部（53）が駆動軸（23）における主軸部（24）の上端部分を回転可能に支持する。また、中空部の上側部分はシール部材（55）に仕切られてクランク室（54）を構成する。クランク室（54）は可動スクロール（35）の背面に面している。ハウジング（50）の上面と可動スクロール（35）の背面との間には、シール部材（55）が嵌合されている。また、このクランク室（54）には、可動スクロール（35）のボス部（38）が位置している。このボス部（38）には、軸受部（53）の上端から突出した駆動軸（23）の偏心部（25）が係合していて、圧縮機構（30）が駆動軸（23）で回転駆動される。
【００４３】
ボス部（38）には、駆動軸（23）の偏心部（25）を回転可能に支持する第１滑り軸受（29a）が装着されている。軸受部（53）には、駆動軸（23）の主軸部（24）を回転可能に支持する第２滑り軸受（29b）が装着されている。下部軸受部（28）には、駆動軸（23）の下部主軸部（26）を回転可能に支持する第３滑り軸受（29c）が装着されている。
【００４４】
駆動軸（23）の給油路（27）を通った油は、第１滑り軸受（29a）と偏心部（25）との間に供給された後でクランク室（54）に流れ込む。従って、このクランク室（54）は、ケーシング（11）の下部空間部（16）と同じ圧力となる。そして、このクランク室（54）の圧力が可動スクロール（35）の背面に作用して、可動スクロール（35）を固定スクロール（40）へ押し付ける。
【００４５】
圧縮機構（30）のハウジング（50）には、クランク室（54）内に流れ込んだ油をハウジング（50）の外部に排出するための排油通路（56）が形成されている。排油通路（56）は、クランク室（54）内から径方向外方に延びる第１通路（56a）と、この第１通路（56a）から下方へ延びる第２通路（56b）とを有している。第２通路（56b）は、ケーシング（11）の胴部（12）の内面に沿って形成されている。排油通路（56）の下端開口の下方には、排油通路（56）から流れ出た油を電動機（21）のコアカット（21c）に導くための油戻し板（60）が配設されている。
【００４６】
本実施形態のスクロール圧縮機（10）は、上述したように、固定側鏡板部（41）及び該固定側鏡板部（41）に形成された固定側ラップ（42）を有する固定スクロール（40）と、可動側鏡板部（36）及び該可動側鏡板部（36）に形成された可動側ラップ（37）を有する可動スクロール（35）を有する圧縮機構（30）を備え、上記圧縮機構（30）には、固定スクロール（35）と可動スクロール（40）とが噛み合って上記両ラップ（37，42）の間に圧縮室（31）が形成されている。そして、上記固定側鏡板部（41）には、図２Ａ，図２Ｂ，図２Ｃに示すように、該圧縮室（31）の内外を連通して流体が通過するリリーフポート（貫通孔）（70）が形成されている。
【００４７】
また、固定スクロール（40）の底面図において固定側ラップ（42）と可動側ラップ（37）のかみ合い状態を表している図３Ａに示すように、上記圧縮室（31）は、固定側ラップ（42）の内周面と可動側ラップ（37）の外周面側との間の第１圧縮室（31a）と、固定側ラップ（42）の外周面と可動側ラップ（37）の内周面との間の第２圧縮室（31b）とを含んでいる。
【００４８】
上記リリーフポート（70）は、図３Ａの部分拡大図である図３Ｂ、固定スクロールと可動スクロールのかみ合い状態を示す断面図である図３Ｃ、固定スクロールの部分拡大断面図において貫通孔の形状を示す図４Ａ、そして図４Ａの底面図である図４Ｂに示すように、その中心線（C）が上記固定側鏡板部（41）に垂直な線分（L）に対して傾斜角度（θ）で傾斜していて、開口（O）の形状が長円形状になっている。リリーフポート（70）は、例えばドリルを固定側鏡板部（41）に対して傾斜させて加工することで形成できる。
【００４９】
また、リリーフポート（70）は、その開口（O）の長円の長径（D1）が上記可動側ラップ（37）の歯厚（t）よりも大きい寸法であって、かつ上記可動側ラップ（37）の渦巻きに沿った方向に配置されている。さらに、上記リリーフポート（70）は、上記長円の短径（D2）が上記可動側ラップ（37）の歯厚（t）未満の寸法であって、かつ上記第１圧縮室（31a）と第２圧縮室（31b）とに同時に連通しないように形成されている。
【００５０】
上記リリーフポート（70）は、図４Ａ，図４Ｂに示すように、流体が通過する際の最小面積である流体透過面積（P）が、該リリーフポート（70）の軸直角断面の面積（A）よりも大きくなるように上記傾斜角度（θ）が定められている。具体的には、図４Ａに示す仮想傾斜面（P）が上記流体透過面積（P）であり、この流体透過面積（P）が上記軸直角断面の面積（A）よりも大きな面積になっている。この流体透過面積（P）は、図４Ａの可動側鏡板部（41）の上面の点（P1）と下面の点（P2）を通る平面であり、この流体透過面積（P）をリリーフポート（70）の軸直角断面積（C）より大きくすることにより、流体透過面積（P）とリリーフポート（70）の中心線（C）とのなす開口角度（α）が９０度よりも大きくなる。また、リリーフポート（70）に軸直角でかつ点Ｐ１を通る仮想平面（上記軸直角の断面（A）は、点Ｐ２を通過せず、リリーフポート（70）の下面の開口における点Ｐ２の延長線上の点（P2’）を通過する。そして、流体透過面積（P）を上記軸直角断面の面積（A）よりも大きくすることにより、流体（冷媒）の通過抵抗を小さくできる。
【００５１】
これに対して、図５Ａ，図５Ｂに示すように上記開口角度（α）が９０よりも小さい場合や、図６Ａ，図６Ｂに示すように上記開口角度（α）が９０°である場合は、流体透過面積（P）が上記軸直角断面の面積（A）よりも大きな面積にならない。したがって、流体の通過抵抗も小さくならないことになる。
【００５２】
リリーフポート（70）には、図２Ａ，図２Ｂに示すようにリリーフ弁（71）が装着されている。リリーフ弁（71）は、圧縮室（31）の内部の圧力と圧縮室（31）の外部の圧力との圧力差が所定値以上になったときに開かれて、圧縮室（31）の内部の高圧の冷媒を外部へ流出させるものである。また、リリーフ弁（71）の開度は弁抑え（71a）で制限されている。
【００５３】
上記リリーフポート（70）は、図３Ａに示すように、上記固定側ラップ（42）の内周面と外周面との中間の位置に形成されている。このことにより、上記リリーフポート（70）は、同図に示すように、上記第１圧縮室（31a）に連通する第１連通状態と、第２圧縮室（31b）に連通する第２連通状態とに、上記可動側ラップ（37）で閉塞される閉塞状態を挟んで交互に切り換わるように構成されている。
【００５４】
つまり、この実施形態では、１つのリリーフポート（70）が、第１圧縮室（31a）用のリリーフポートと、第２圧縮室（31b）用のリリーフポートを兼ねるように構成されている。
【００５５】
−運転動作−
次に、上述したスクロール圧縮機（10）の運転動作について説明する。スクロール圧縮機（10）の電動機（21）に通電されると、ロータ（21b）とともに駆動軸（23）が回転し、可動スクロール（35）が公転運動する。この可動スクロール（35）の公転運動に伴って、圧縮室（31）の容積が周期的に増減を繰り返す。
【００５６】
具体的に、駆動軸（23）が回転すると、吸入ポート（34）から圧縮室（31）へ冷媒が吸入される。そして、駆動軸（23）の回転に伴い、圧縮室（31）が閉じ切られる。さらに、駆動軸（23）の回転が進むことで、圧縮室（31）の容積が縮小し始め、圧縮室（31）における冷媒の圧縮が開始される。
【００５７】
その後、圧縮室（31）の容積がさらに縮小し、この圧縮室（31）の容積が所定容積まで縮小したときに、吐出ポート（32）が開く。この吐出ポート（32）を通じて、圧縮室（31）で圧縮された冷媒が固定スクロール（40）の吐出室（46）へ吐出される。この吐出室（46）の冷媒は、ケーシング（11）の下部空間部（16）を介して吐出管（19）から吐出される。なお、上述したように、下部空間部（16）はクランク室（背圧空間）（54）と連通しており、このクランク室（54）の冷媒圧力で、可動スクロール（35）が固定スクロール（40）へ押し付けられる。
【００５８】
また、圧縮機構（30）が起動すると、油溜まり部（17）の油は、容積ポンプの作用によって吸入ノズル（75）の吸入口（75a）から吸い上げられる。そして、吸入ノズル（75）から吸い上げられた油は、駆動軸（23）の給油路（27）を流通して、可動スクロール（35）および固定スクロール（40）のスラスト摺動面、ボス部（38）の第１滑り軸受（29a）と偏心部（25）の摺動面、ハウジング（50）の軸受部（53）の第２滑り軸受（29b）と主軸部（24）の摺動面、および下部軸受部（28）の第３滑り軸受（29c）と下部主軸部（26）の摺動面等の摺動部分に供給される。各摺動部分に供給された後の油は、油溜まり部（17）に回収される。
【００５９】
−リリーフ弁の動作−
本実施形態では、圧縮室（31a）の内部で過圧縮が発生する状態になるとリリーフ弁（71）が開く。リリーフ弁（71）が開くと、圧力が高くなりすぎた冷媒が圧縮室（31a）の外へ流出することにより、過圧縮の状態が解消される。
【００６０】
本実施形態では、リリーフポート（70）を固定側鏡板部（41）に垂直な線分（L）に対して傾斜角度（θ）で傾斜させ、流体透過面積（P）をリリーフポート（70）の軸直角断面の面積（C）より大きくしているので、冷媒の通過抵抗を小さくすることができる。通過抵抗が大きいと冷媒が流れにくくなるので過圧縮が解消されにくい問題があるが、本実施形態では流体の通過抵抗が小さいので、過圧縮の状態が確実に解消される。
【００６１】
圧縮機構（30）の動作中のリリーフポート（70）の開閉状態について、リリーフポート（70）を長円形状にした本実施形態と真円形状にした比較例とを、図７（本実施形態）と図８（比較例）とを用いて対比して説明する。なお、リリーフポート（70）は、図７，図８のいずれも、図の簡略化のために１つだけ示している。
【００６２】
まず、本実施形態と比較例のいずれも、リリーフポート（70）が開き始める角度をＡの０°とする。図７，図８において可動スクロール（35）の可動側ラップ（37）が時計回り方向に公転すると、比較例ではＢの４４°で全開になり、第１圧縮室（31a）と連通するのに対して、本実施形態では３５°でリリーフポートの必要面積（比較例の全開と同じ面積）が開口し、第１圧縮室（31a）と連通する。その後、可動スクロール（35）が公転を続けると、Ｃの閉じ始めの状態まで、比較例ではリリーフポート（70）が第１圧縮室（31a）に９５°の範囲の間に連通し、本実施形態では１１０°の範囲の間に連通する。
【００６３】
また、可動スクロール（35）がさらに公転を続けると、比較例では、リリーフポート（70）が第２圧縮室（31b）に１０３°の範囲の間に連通するのに対して、本実施形態では、リリーフポート（70）が第２圧縮室（31b）に１１８°の範囲の間に連通する。
【００６４】
このように、本実施形態では必要な開口面積が開くのが早く、長い間開口したのち、早く閉じる。したがって、本実施形態では、過圧縮時のリリーフポート（70）の開口が早く始まって長く行われるから、過圧縮冷媒の流出を長い時間をかけて確実に行うことができる。
【００６５】
−実施形態１の効果−
本実施形態によれば、上記貫通孔（70）を固定側鏡板部（41）に垂直な線分（L）に対して傾斜角度（θ）で傾斜させて、長円形状になった開口（O）の長径（D1）が可動側ラップ（37）の歯厚（ｔ）よりも大きい寸法になって該可動側ラップ（37）の渦巻きの方向に沿い、かつ開口（O）の短径が上記可動側ラップ（37）の歯厚（t）未満の寸法となるようにしたことにより、面積が大きな貫通孔（70）の開口（O）を通って流体を流すことで流体の通過抵抗を小さく抑えられる。また、本実施形態によれば、貫通孔（70）を簡単な加工で形成することができる。したがって、スクロール圧縮機の加工コストを抑えることが可能になる。
【００６６】
さらに、リリーフポートを真円形状にした場合に比べて、過圧縮時のリリーフポート（70）の開口が早く始まって長く行われ、過圧縮冷媒の流出を長い時間をかけて確実に行うことができるので、圧縮機の性能を高められる。
【００６７】
また、本実施形態によれば、流体が通過する際の最小面積である流体透過面積（P）が貫通孔（70）の軸直角断面の面積（A）よりも大きくなるように上記傾斜角度を定めて上記貫通孔（70）を形成しているので、流体の通過抵抗を確実に抑えられる。
【００６８】
−実施形態１の変形例−
＜変形例１＞
上記実施形態では、可動側鏡板部（41）にドリルを傾斜させた状態で加工することによりリリーフポート（70）を形成するようにしていたが、図９Ａ〜図９Ｃに示す方法で加工してもよい。
【００６９】
図９Ａは変形例１の可動側鏡板部（41）の拡大断面図、図９Ｂは図９Ａの平面図、図９Ｃは図９ＡのIXＣ線矢視図である。この変形例１の可動側鏡板部（41）は、段差部（41a）を有し、段差部（41a）の端部が傾斜面（41b）になっている。
【００７０】
この変形例１では、上記リリーフポート（70）は傾斜面（41b）に対して直角にドリルを当てて加工することができる。したがって、リリーフポートを容易に形成することが可能になる。
【００７１】
また、この変形例において、段差部（41a）を境界面（41c）に沿って削り落とせば、実施形態１と同様に可動側鏡板部（41）の上面が平坦な構成においてリリーフポート（70）が傾斜した構成を容易に実現できる。
【００７２】
＜変形例２＞
変形例２は、上記固定側鏡板部（41）の表面側に座ぐり加工部（72）を形成し、この座ぐり加工部（72）に連通する位置に上記リリーフポート（70）を形成した例である。図１０Ａは変形例２の可動側鏡板部（41）の拡大断面図、図１０Ｂは図１０Ａの平面図である。
【００７３】
この変形例２では、座ぐり加工部（72）を形成することにより可動側鏡板部（41）の厚さが薄くなるので、リリーフポート（70）をドリル加工で形成しやすくなる。
【００７４】
＜変形例３＞
変形例３は、変形例２の座ぐり加工部（72）がエンドミルで加工することにより底面を平坦にしたものであるのに対して、座ぐり加工部を大径のドリルで加工することにより，底面に円錐面（72a）を形成するようにした例である。図１１Ａは変形例３の可動側鏡板部（41）の拡大断面図、図１１Ｂは図１１Ａの平面図である。
【００７５】
このようにすると、リリーフポート（70）を形成するための小径のドリルを円錐面（72a）に対して直角に当てて加工することができるので、変形例２と比べて加工を簡単に行うことが可能になる。
【００７６】
＜変形例４＞
変形例４は、変形例２の座ぐり加工部（72）とリリーフポート（70）の相対的な位置関係を変更した例である。図１２Ａは変形例４の可動側鏡板部（41）の拡大断面図、図１２Ｂは図１２Ａの平面図である。
【００７７】
この変形例４では、リリーフポート（70）を、可動側鏡板部（41）の上面から座ぐり加工部（72）の側面及び底面を通り、可動側鏡板部（41）の底面を貫通するように形成している。このようにすると、リリーフポート（70）の流出口が可動側鏡板部（41）の上面と座ぐり加工部（72）の底面との２箇所に形成されるので、流出口の面積が大きくなる。従って、流体の通過抵抗を小さくすることができる。
【００７８】
《発明の実施形態２》
本発明の実施形態２について説明する。
【００７９】
本発明の実施形態２は、リリーフポート（70）の位置を実施形態１とは異なるようにした例である。図１３は実施形態２の圧縮機構の動作状態図、図１４は比較例の圧縮機構の動作状態図である。
【００８０】
この実施形態２では、上記リリーフポート（70）は、上記固定側ラップ（42）の内周面に沿った位置に形成されている。このリリーフポート（70）は、上記第１圧縮室（31a）に連通するＢの連通状態と、上記可動側ラップ（37）に閉塞されるＣの閉塞状態と、上記第２圧縮室に連通するＤの連通状態と、上記可動側ラップ（37）に閉塞されるＡの閉塞状態とに交互に切り換わるように構成されている。
【００８１】
図１３の実施形態２では、Ａの全閉状態（開き始める状態）から必要開口面積が得られるまでの角度が３５°であるのに対し、図１４の比較例では、Ａの全閉状態（開き始める状態）から全開状態（必要開口面積が得られる状態）までの角度が５８°である。
【００８２】
この実施形態では、上記リリーフポート（70）は第１圧縮室（31a）の過圧縮の冷媒を逃がすように形成されている。なお、本実施形態では、第２圧縮室（31b）に対応するリリーフポートは形成されていない。
【００８３】
圧縮機（10）のその他の構成は実施形態１と同じである。
【００８４】
この実施形態２においても、リリーフポート（70）を真円ではなく長円形状にしたことにより、必要な開口面積が開くのが早く、長い間開口した後に早く閉じる。したがって、この実施形態２においても、過圧縮時のリリーフポート（70）の開口が早く始まって長く行われるから、過圧縮冷媒の流出を長い時間をかけて確実に行うことができる。
【００８５】
また、実施形態１のその他の効果は、この実施形態２においても同様に得ることができる。
【００８６】
《発明の実施形態３》
本発明の実施形態３について説明する。
【００８７】
本発明の実施形態３は、リリーフポート（70）の位置を実施形態１，２とは異なるようにした例である。図１５は実施形態２の圧縮機構の動作状態図、図１６は比較例の圧縮機構の動作状態図である。
【００８８】
この実施形態３では、リリーフポート（70）は、上記固定側ラップ(42)の内周面に沿った位置に形成されて上記第１圧縮室（31a）（Ｂ，Ｄの状態を参照）に連通する連通状態と、上記可動側ラップ（37）に閉塞される閉塞状態（Ａ，Ｃの状態を参照）とに交互に切り換わる第１リリーフポート（第１貫通孔）（70a）と、上記固定側ラップ（42）の外周面に沿った位置に形成されて上記第２圧縮室（31b）に連通する連通状態（Ｂ，Ｄの状態を参照）と、上記可動側ラップ（37）に閉塞される閉塞状態（Ａ，Ｃの状態を参照）とに交互に切り換わる第２リリーフポート（第２貫通孔）（70b）を含んでいる。
【００８９】
つまり、この実施形態では、第１圧縮室（31a）用の第１リリーフポート（70a）と第２圧縮室（31b）用の第２リリーフポート（70b）が別々に形成されている点が実施形態２と異なっている。
【００９０】
圧縮機（10）のその他の構成は実施形態１，２と同じである。
【００９１】
この実施形態３においても、リリーフポート（70）を真円ではなく長円形状にしたことにより、必要な開口面積が開くのが早く、長い間開口した後に早く閉じる。したがって、この実施形態３においても、過圧縮時のリリーフポート（70）の開口が早く始まって長く行われるから、過圧縮冷媒の流出を長い時間をかけて確実に行うことができる。
【００９２】
また、実施形態１，２のその他の効果は、この実施形態３においても同様に得ることができる。
【００９３】
《その他の実施形態》
上記実施形態については、以下のような構成としてもよい。
【００９４】
例えば、上記各実施形態では、本発明の貫通孔をリリーフポートに適用した例を説明したが、本発明の貫通孔は、圧縮途中の冷媒の一部を吸入側に戻すアンロード運転を行うためのバイパスポートに適用してもよいし、圧縮途中の圧縮室に中間圧冷媒を注入するインジェクションポートとして用いてもよい。
【００９５】
なお、以上の実施形態は、本質的に好ましい例示であって、本発明、その適用物、あるいはその用途の範囲を制限することを意図するものではない。
【産業上の利用可能性】
【００９６】
以上説明したように、本発明は、スクロール圧縮機においてリリーフポートやインジェクションポートとして固定側鏡板部に形成される貫通孔の構造について有用である。
【符号の説明】
【００９７】
10  スクロール圧縮機
30  圧縮機構
31  圧縮室
35  可動スクロール
36  可動側鏡板部
37  可動側ラップ
40  固定スクロール
41  固定側鏡板部
41  固定側ラップ
70  リリーフポート（貫通孔）
70a 第１貫通孔
70b 第２貫通孔
72  座ぐり加工部
A   軸直角断面の面積
P   流体透過面積
θ  傾斜角度
【図１】
2017015058.tif 000003
【図２Ａ】
2017015058.tif 000004
【図２Ｂ】
2017015058.tif 000005
【図２Ｃ】
2017015058.tif 000006
【図３Ａ】
2017015058.tif 000007
【図３Ｂ】
2017015058.tif 000008
【図３Ｃ】
2017015058.tif 000009
【図４Ａ】
2017015058.tif 000010
【図４Ｂ】
2017015058.tif 000011
【図５Ａ】
2017015058.tif 000012
【図５Ｂ】
2017015058.tif 000013
【図６Ａ】
2017015058.tif 000014
【図６Ｂ】
2017015058.tif 000015
【図７】
2017015058.tif 000016
【図８】
2017015058.tif 000017
【図９Ａ】
2017015058.tif 000018
【図９Ｂ】
2017015058.tif 000019
【図９Ｃ】
2017015058.tif 000020
【図１０Ａ】
2017015058.tif 000021
【図１０Ｂ】
2017015058.tif 000022
【図１１Ａ】
2017015058.tif 000023
【図１１Ｂ】
2017015058.tif 000024
【図１２Ａ】
2017015058.tif 000025
【図１２Ｂ】
2017015058.tif 000026
【図１３】
2017015058.tif 000027
【図１４】
2017015058.tif 000028
【図１５】
2017015058.tif 000029
【図１６】
2017015058.tif 000030